(57)【要約】【課題】記録済みの被記録媒体１９１を傷めることなく取り外すことができる。【解決手段】被記録媒体１９１の排出経路に対して、記録済み被記録媒体１９１の幅方向について一方の外側に配置されて回転駆動される駆動プラグ３３３を有する巻取り駆動部３３０と、記録済み被記録媒体１９１の幅方向について他方の外側に、駆動プラグ３３３に対向して配置された、回転自在の従動プラグ３４３を有する巻取り従動部３４０と、記録済み被記録媒体１９１が巻き付く巻取り紙管３１０、巻取り紙管３１０よりも大きな径を有し巻取り紙管３１０の周面の長手方向両端に形成された一対のフランジ部３２２、および、駆動プラグ３３３または従動プラグ３４３に対して相補的な形状を有するソケット部３２１を有して、巻取り駆動部３３０および巻取り従動部３４０に対して脱着自在に装着された巻取りローラ組立体３６０とを備える。【選択図】図４
2009023781.tif 000002
【特許請求の範囲】
【請求項１】
上流側から搬送される長尺の被搬送媒体を下流側で巻き取る巻取り装置であって、
前記被搬送媒体の搬送経路に対して、前記被搬送媒体の幅方向について一方の外側に配置されて回転駆動される駆動プラグを有する巻取り駆動部と、
前記被搬送媒体の幅方向について他方の外側に、前記駆動プラグに対向して配置された、回転自在の従動プラグを有する巻取り従動部と、
前記被搬送媒体を巻き付ける巻取りローラ部と、
記前記巻取りローラ部の径よりも大径であり前記巻取りローラ部の長手方向両端に嵌合する嵌合部を有した一対のフランジ部と、を備え、
前記一対のフランジ部は、前記駆動プラグまたは前記従動プラグに対して相補的な形状を有するソケット部を有し、前記巻取りローラ部を嵌合させたまま前記巻取り駆動部および前記巻取り従動部に対して脱着自在な巻取り装置。
【請求項２】
前記巻取り従動部は、前記被搬送媒体の幅方向について、前記巻取り駆動部に対し、前記駆動プラグおよび前記従動プラグの少なくとも一方が前記ソケット部から離脱方向、及び装着する方向に移動する請求項１に記載の巻取り装置。
【請求項３】
前記駆動プラグおよび前記従動プラグは、前記ソケット部に挿入される場合の先端に近づくほど小径になる形状を有する請求項１または請求項２に記載の巻取り装置。
【請求項４】
前記一対のフランジ部は、前記巻取りローラ部に装着される側から径方向について外側に向かうほど、互いの前記フランジ部の間隔が広くなるテーパ面を有する請求項１から請求項３までのいずれか１項に記載の巻取り装置。
【請求項５】
前記フランジ部は、前記ソケット部に前記駆動プラグおよび前記従動プラグの差し込み状態を視認可能な窓部を有する請求項１から請求項４までのいずれか１項に記載の巻取り装置。
【請求項６】
前記一対のフランジ部材嵌合部を前記巻取りローラ部から抜き取る場合の力は、前記ソケット部を前記駆動プラグまたは前記従動プラグから抜き取る場合の力よりも大きい請求項１から請求項５までのいずれか１項に記載の巻取り装置。
【請求項７】
前記嵌合部は、前記巻取りローラの内面に対して当接または離間する当接面と、前記当接面を前記巻取りローラの内面に向かって付勢する付勢部材とを有し、
前記嵌合部は、前記フランジ部を前記巻取りローラから抜き取る場合に、前記フランジの外部からの操作により前記付勢に逆らって前記当接面を前記巻取り紙管の内面から離間させる解除レバーを有する請求項１から請求項６までのいずれか１項に記載の巻取り装置。
【請求項８】
前記嵌合部は、前記巻取りローラの端部から前記フランジ部までを離間させる延長部を備える請求項１から請求項７までのいずれか１項に記載の巻取り装置。
【請求項９】
長尺の被記録媒体に向かってインクを吐出する記録ヘッドと、インクを付着させた記録済み被記録媒体を排出する排出部と、前記記録済み被記録媒体を巻き取る巻取り装置とを備えた記録装置であって、
前記巻取り装置は、
前記記録済み被記録媒体の排出経路に対して、前記記録済み被記録媒体の幅方向について一方の外側に配置されて回転駆動される駆動プラグを有する巻取り駆動部と、
前記記録済み被記録媒体の幅方向について他方の外側に、前記駆動プラグに対向して配置された、回転自在の従動プラグを有する巻取り従動部と、
前記記録済み被記録媒体を巻き付ける巻取りローラ部と、
記前記巻取りローラ部の径よりも大径であり前記巻取りローラ部の長手方向両端に嵌合する嵌合部を有した一対のフランジ部と、を備え、
前記一対のフランジ部は、前記駆動プラグまたは前記従動プラグに対して相補的な形状を有するソケット部を有し、前記巻取りローラ部を嵌合させたまま前記巻取り駆動部および前記巻取り従動部に対して脱着自在な記録装置。
【発明の詳細な説明】
【技術分野】
【０００１】
本発明は、巻取り装置および記録装置に関する。より詳細には、長尺の媒体を巻き取る巻取り装置と、その巻取り装置を装着を備えた記録装置とに関する。
【背景技術】
【０００２】
例えば、微細なノズルを備えた記録ヘッドからインク等の液体を吐出して被記録媒体に付着させるインクジェット式記録装置がある。この種の装置は、記録ヘッドを所定の主走査方向に往復させる一方、主走査方向に対して交差する搬送方向に被記録媒体を移動させる搬送部を備え、主走査および搬送を組み合わせることにより被記録媒体上の任意の領域に液体を付着させて画像を形成する。
【０００３】
このような構造を有する記録装置において、主走査方向の往復移動範囲は装置の仕様により決定され、１ｍを越える主走査幅を有してポスター等の大型の画像を記録できるものもある。一方、搬送方向については被記録媒体の長さは制限されない。そこで、長尺の被記録媒体を巻き重ねたロールを装填して、横断幕、懸垂幕等に長い画像を形成する記録装置もある。
【０００４】
記録装置において画像を記録された被記録媒体は記録装置の外部に排出される。排出された被記録媒体は成果物として回収されるので、記録装置の排出側には、形成された画像を損傷あるいは汚損することなく保持する目的で排紙巻取り部が設けられる場合がある。
【０００５】
下記の特許文献１には、画像形成装置のスタンドに装着され、ロール紙の先端を芯体に固定して巻き取る巻取装置が記載される。これにより、長尺のロール紙を無駄なく利用できる。
【０００６】
また、下記の特許文献２には、脚部の支持柱に装着された巻取部を備えたプリンタが記載される。この巻取部は、プリンタ本体から記録媒体の送り情報を獲得して巻取り量を制御する。これにより、適切な巻取り速度で確実に記録媒体を巻き取ることができる。
【０００７】
更に、下記の特許文献３には、ロール紙を搬送する駆動ローラとロール紙を巻き取る巻取りローラとを連携させた記録装置が記載される。これにより、ロール紙の搬送方向を逆転させた場合にもロール紙に過大な張力または弛みが生じることを抑制して、搬送系を安定に動作させることができる。このように、長尺の被記録媒体に画像を記録した場合においても、巻取り装置を用いることにより記録済みの被記録媒体を巻き取って、取り扱いを容易にすると共に、記録画像の損傷を防止できる。
【特許文献１】特開２００１−０８０８００号公報
【特許文献２】特開２００２−２０５８５０号公報
【特許文献３】特開２００５−２１２３２２号公報
【発明の開示】
【発明が解決しようとする課題】
【０００８】
しかしながら、上記のようにして記録済みの被記録媒体を巻き取った芯体あるいは巻取りローラを記録装置から取り外す場合に、巻き取った被記録媒体の側縁部を損傷する場合がある。即ち、当初は整然と巻かれていた被記録媒体も、記録装置内の搬送経路を経て再び巻き取られると、必ずしも側縁部が揃ったロールになるとは限らない。
【０００９】
このため、巻取り側のロールにおいては、側端部の一部がロールからはみだして傷みやすい状態になる場合がある。一方、巻取り装置から巻き取ったロールを取り外す場合は、長く重いロールを手作業で取り扱うので、ロールの一部が周辺の部材に接触し易い。従って、ロールの端部近傍が折れる等の損傷が生じやすい。
【課題を解決するための手段】
【００１０】
そこで、上記課題を解決することを目的に、本発明の第１の形態として、上流側から搬送される長尺の被搬送媒体を下流側で巻き取る巻取り装置であって、被搬送媒体の搬送経路に対して、被搬送媒体の幅方向について一方の外側に配置されて回転駆動される駆動プラグを有する巻取り駆動部と、被搬送媒体の幅方向について他方の外側に、駆動プラグに対向して配置された、回転自在の従動プラグを有する巻取り従動部と、被搬送媒体を巻き付ける巻取りローラ部と、記巻取りローラ部の径よりも大径であり巻取りローラ部の長手方向両端に嵌合する嵌合部を有した一対のフランジ部と、を備え、一対のフランジ部は、駆動プラグまたは従動プラグに対して相補的な形状を有するソケット部を有し、巻取りローラ部を嵌合させたまま巻取り駆動部および巻取り従動部に対して脱着自在な巻取り装置が提供される。これにより、被搬送媒体を巻き取ったロールを取り扱う場合に、被搬送媒体の側縁部がフランジ部により保護されるので、被搬送媒体が傷むことが防止される。また、フランジ部の径が巻き取った被搬送媒体よりも大きければ、記録媒体を浮かせた状態で床等に置くことができるので、取り扱いが容易になる。
【００１１】
また、上記巻取り装置において、巻取り従動部は、被搬送媒体の幅方向について、巻取り駆動部に対し、駆動プラグおよび従動プラグの少なくとも一方がソケット部から離脱方向、及び装着する方向に移動してもよい。これにより、被搬送媒体を巻き付けて重くなった巻取りローラ部を移動させることなく、巻取りローラ組立体を巻取り装置に対して脱着できる。
【００１２】
更に、上記巻取り装置において、駆動プラグおよび従動プラグは、ソケット部に挿入される場合の先端に近づくほど小径になる形状を有してもよい。これにより、ソケット部を駆動プラグおよび従動プラグに対して容易に嵌合させることができる。
【００１３】
また更に、上記巻取り装置において、一対のフランジ部は、巻取りローラ部に装着される側から径方向について外側に向かうほど、互いのフランジ部の間隔が広くなるテーパ面を有してもよい。これにより、幅方向に変位した被搬送媒体を案内して、巻取りローラ部に整然と巻きつかせることができる。
【００１４】
また更に、上記巻取り装置において、フランジ部は、ソケット部に駆動プラグおよび従動プラグの差し込み状態を視認可能な窓部を有してもよい。これにより、ソケット部を駆動プラグおよび従動プラグをソケット部に嵌合させる場合に、フランジ部の陰に位置する駆動プラグおよび従動プラグを目視して容易に位置合わせできる。
【００１５】
また更に、上記巻取り装置において一対のフランジ部材嵌合部を巻取りローラ部から抜き取る場合の力は、ソケット部を駆動プラグまたは従動プラグから抜き取る場合の力よりも大きくてもよい。これにより、被搬送媒体を巻取り装置から取り外す場合に、フランジ部材は確実に巻取り紙管と共に取り外すことができる。
【００１６】
また更に、上記巻取り装置において、差し込み部は、巻取り紙管の内面に対して当接または離間する当接面と、当接面を巻取り紙管の内面に向かって付勢する付勢部材とを有してもよい。これにより、紙管に対してフランジ部材を装着して巻取りローラ組立体を形成できると共に、フランジ部材を巻取りローラ組立体から取り外して再利用することができる。
【００１７】
また更に、上記巻取り装置において、嵌合部は、巻取りローラの内面に対して当接または離間する当接面と、当接面を巻取りローラの内面に向かって付勢する付勢部材とを有し、嵌合部は、フランジ部材を巻取りローラから抜き取る場合に、フランジの外部からの操作により付勢に逆らって当接面を巻取り紙管の内面から離間させる解除レバーを有してもよい。これにより、フランジ部材の取り外しが容易になると共に、フランジ部材を取り外す場合に紙管を傷めることが防止される。
【００１８】
また更に、上記巻取り装置において、嵌合部は、巻取りローラの端部からフランジ部までを離間させる延長部を備えてもよい。これにより、フランジ部材を装着した巻取りローラ組立体におけるフランジ部の間隔が巻取り紙管よりも長くなる。従って、その巻取りローラ組立体に巻きつけることができる被搬送媒体の幅が広くなると共に、巻き付ける被搬送媒体とフランジ部との接触による損傷が防止される。
【００１９】
また、本発明の第２の形態として、長尺の被記録媒体に向かってインクを吐出する記録ヘッドと、インクを付着させた記録済み被記録媒体を排出する排出部と、記録済み被記録媒体を巻き取る巻取り装置とを備えた記録装置であって、巻取り装置は記録済み被記録媒体の排出経路に対して、記録済み被記録媒体の幅方向について一方の外側に配置されて回転駆動される駆動プラグを有する巻取り駆動部と、記録済み被記録媒体の幅方向について他方の外側に、駆動プラグに対向して配置された、回転自在の従動プラグを有する巻取り従動部と、記録済み被記録媒体を巻き付ける巻取りローラ部と、記巻取りローラ部の径よりも大径であり巻取りローラ部の長手方向両端に嵌合する嵌合部を有した一対のフランジ部と、を備え、一対のフランジ部は、駆動プラグまたは従動プラグに対して相補的な形状を有するソケット部を有し、巻取りローラ部を嵌合させたまま巻取り駆動部および巻取り従動部に対して脱着自在な記録装置が提供される。これにより、記録装置においても上記の効果を享受できる。
【００２０】
なお、上記の発明の概要は、本発明の必要な特徴の全てを列挙したものではない。また、これらの特徴群のサブコンビネーションも発明となり得る。
【発明を実施するための最良の形態】
【００２１】
以下、発明の実施の形態を通じて本発明を説明するが、以下の実施形態は特許請求の範囲にかかる発明を限定するものではない。また、また実施形態の中で説明されている特徴の組み合わせの全てが発明の解決手段に必須であるとは限らない。
【実施例１】
【００２２】
図１は、実施の形態に係るインクジェット式記録装置１００の斜視図である。同図に示すように、このインクジェット式記録装置１００は、長手方向が水平に配置された記録部１４０と、記録部１４０の長手方向端部に装着された筐体１１０と、記録部１４０の上側に装着された装填部１３０と、記録部１４０および筐体１１０を下方から支持する脚部１７０とを備える。
【００２３】
装填部１３０には、巻き重ねた被記録媒体１９１を含むロール組立体１９０（図２参照）が装填されるが、この図ではロール組立体１９０はロールカバー１３２に覆われる。記録部１４０では、トップカバー１４２およびフロントカバー１４４によりその内部機構が覆われる。記録部１４０の内部には後述する記録ヘッド１４３が配置され、装填部１３０から記録部１４０に給送された被記録媒体１９１に対してインクが吐出される。装填部１３０から給送されて記録部１４０において画像を形成された被記録媒体１９１は、記録部１４０の下部に位置する排出部１６０に排出される。
【００２４】
脚部１７０は、記録部１４０および筐体１１０を下方から支持する一対の支柱部１７２と、支柱部の下端に装着されて前後に延在して、前後方向の安定を図る足部１７４と、支柱部１７２を相互に連結する横木部１７８とを含む。また、足部１７４の下面には、インクジェット式記録装置１００の移動を容易にするキャスタ１７６と、稼働時のインクジェット式記録装置１００を安定させるジャッキ１７７とが装着される。これにより、排出部１６０を通過した被記録媒体１９１をスタックする排出スペースが得られる。
【００２５】
筐体１１０は、記録部１４０から退避した記録ヘッド１４３が待機するホームポジションのスペースを形成すると共に、その下部に、カートリッジホルダ１２０を有する。カートリッジホルダ１２０には、記録ヘッド１４３に供給するインクを収容したインクカートリッジ１４７が装着される。また、筐体１１０の上面には、操作パネル１８０が配置される。操作パネル１８０は、ユーザが操作するボタン、スイッチ類の他、インクジェット式記録装置１００の動作状態を示す表示部等も含む。
【００２６】
図２は、インクジェット式記録装置における被記録媒体１９１の給送経路２００を示す模式的な断面図である。同図に示すように、給送経路２００は、装填部１３０内のロール組立体１９０から、記録部１４０内を経て排出部１６０に至る経路を含む。
【００２７】
装填部１３０においては、ロールカバー１３２の内部にロール組立体１９０が装填される。ロール組立体１９０は、芯となる紙管１９２の外面に長尺の連続した被記録媒体１９１を巻き重ねて形成される。これにより、大判の被記録媒体１９１を取り扱い易くしている。更に、紙管１９２の内側には金属製のスピンドル部材１９４が挿通され、スピンドル部材１９４の両端が装填部１３０のスピンドル支持部１３４に支持される。なお、被記録媒体１９１としては、紙の他、樹脂フィルム、テキスタイル製品等が用いられる場合もある。
【００２８】
記録部１４０には、被記録媒体１９１を給送する給送部１１１、被記録媒体１９１にインクを吐出する記録ヘッド１４３、記録ヘッド１４３を搭載したキャリッジ１４１、被記録媒体１９１を支持するプラテンプレート１５２等が配置される。給送部１１１は、図示していない給送モータにより回転駆動される給送駆動ローラ１１２と、給送駆動ローラ１１２に当接して連れ回される給送従動ローラ１１４とを含む。被記録媒体１９１は、給送駆動ローラ１１２および給送従動ローラ１１４の間に挟まれ、給送従動ローラ１１４により給送駆動ローラ１１２に押し付けられることにより、給送駆動ローラ１１２の回転に従ってロール組立体１９０から引き出される。
【００２９】
ロール組立体１９０から引き出されて給送部１１１を通過した被記録媒体１９１は、記録ヘッド１４３に対向する位置を通過する。このとき、被記録媒体１９１は、記録ヘッド１４３に対向して配設されるプラテンプレート１５２により支持される。これにより、プラテンプレート１５２上の被記録媒体１９１は、記録ヘッド１４３に対して一定の間隔をおいて位置決めされる。
【００３０】
なお、プラテンプレート１５２の後方（図上右側）、つまり、被記録媒体を支持する面と反対側には、図示していないファンユニットが配置され、図中に矢印Ａにより示すように、プラテンプレート１５２から吸引した空気を排出ダクト１５９から外部へ排出する。これにより、プラテンプレート１５２の表面に負圧が形成されて、被記録媒体１９１が吸いつけられる。
【００３１】
記録ヘッド１４３はキャリッジ１４１に搭載され、キャリッジ１４１はガイドレール１４５から懸架される。ガイドレール１４５は、図２の紙面に垂直に、記録部１４０の略全幅にわたって延在して、キャリッジ１４１の往復移動を案内する。なお、記録ヘッド１４３が吐出するインクは、図示していないパイプを通じてインクカートリッジ１４７から供給される。従って、キャリッジ１４１にはインクカートリッジ１４７は搭載されず、キャリッジ１４１および記録ヘッド１４３の組立体が軽量になる。
【００３２】
図３は、画像を記録された被記録媒体１９１を巻き取る巻取り装置３００を装着された脚部１７０を示す斜視図である。なお、巻取り装置３００のレイアウトを見えやすくする目的で、脚部１７０に搭載されるインクジェット式記録装置１００の本体は図示を省略した。即ち、図３において、支柱部１７２の上端に形成されたブラケット１７１は、インクジェット式記録装置１００を固定する場合に利用される。
【００３３】
前述のように、装填部１３０には長尺の被記録媒体１９１を巻いたロール組立体１９０が装填される。ロール組立体１９０から引き出された被記録媒体１９１を切断することなく画像を形成し続けた場合、排出部１６０に出力される被記録媒体１９１もまた長尺になる。従って、巻取り装置３００により巻き取ることにより取り扱いが容易になる。
【００３４】
巻取り装置３００は、支柱部１７２に対してブラケット３３２により固定された巻取り駆動部３３０と、横木部１７８に掛けたハンガ部３４４に対してブラケット３４２を介して固定された巻取り従動部３４０とを含む。巻取り駆動部３３０および巻取り従動部３４０の詳細な構造についてはそれぞれ後述するが、巻取り駆動部３３０および巻取り従動部３４０の間には、端部にフランジ部材３２０を装着された巻取り紙管３１０を含む巻取りローラ組立体３６０が掛けわたされる。
【００３５】
上記のような巻取り装置３００において、巻取り駆動部３３０は巻取りローラ組立体３６０の一端を回転駆動する。一方、巻取り従動部３４０は、巻取りローラ組立体３６０の他端を回転自在に支持する。なお、巻取り従動部３４０を支持するハンガ部３４４は、横木部１７８に沿って水平に移動させることができるが、ロックレバー３４６を操作することにより横木部１７８上の特定の位置に固定できる。
【００３６】
上記のような巻取り装置３００は、脚部１７０上の排出部１６０から排出された被記録媒体１９１の先端が床に接近したことを検知する媒体センサ３５０も更に備える。これにより、排出部１６０から排出された被記録媒体１９１が一定以上の長さになると巻取り駆動部３３０を動作させて、巻取り紙管３１０に被記録媒体１９１を巻き取る。
【００３７】
図４は、巻取りローラ組立体３６０を装着された巻取り装置３００を単体で示す正面図である。同図に示すように、巻取りローラ組立体３６０は、巻取り駆動部３３０および巻取り従動部３４０により側方から挟まれて支持される。従って、ロックレバー３４６を回転させて横木部１７８に対する固定を解除して、ハンガ部３４４を横木部１７８に沿って移動させることにより、巻取り駆動部３３０および巻取り従動部３４０の間隔を拡げて、巻取りローラ組立体３６０を取り外すことができる。
【００３８】
図５は、巻取り駆動部３３０を単独で示す斜視図である。同図に示すように、巻取り駆動部３３０は、脚部１７０から前方に向かって突出するベースプレート３３８を有する。
【００３９】
ベースプレート３３８に対して、巻取り従動部３４０に対向する側には、駆動軸３３１が突出して、駆動プラグ３３３が装着される。駆動プラグ３３３は、駆動軸３３１に対してピン３３７により固定され、駆動軸３３１が回転した場合に、駆動軸３３１と共に回転する。駆動プラグ３３３は先端に近づくほど細くなる錐体状の形状を有すると共に、フランジ３３５を有する。
【００４０】
ベースプレート３３８に対して、駆動軸３３１と反対の側には、駆動軸３３１を回転駆動する巻取りモータ３３４が装着される。また、ベースプレート３３８の一部は下方に延在して、その下端に媒体センサ３５０が装着される。媒体センサ３５０は、その前方を被記録媒体１９１が横切った場合に、それを検知して巻取りモータ３３４を動作させる。
【００４１】
図６は、巻取り従動部３４０を単独で示す斜視図である。同図に示すように、巻取り従動部３４０は、客部の横木部１７８に掛けるハンガ部３４４と、ハンガ部３４４を横木部１７８に装着した場合に前方に突出するベースプレート３４８とを、ベースプレート３４８と一体のブラケット３４２で結合して形成される。
【００４２】
ハンガ部３４４は、横木部１７８上におけるハンガ部３４４の位置を固定すると共に、その固定を解除する場合に操作するロックレバー３４６を備える。一方、ベースプレート３４８は、従動軸３４１を回転自在に支持する。更に、従動軸３４１には、先端に近づくほど細くなる錐体状の形状を有しすると共に、フランジ３４５を有する従動プラグ３４３が装着される。また、従動プラグ３４３が従動軸３４１から抜け落ちることを防止するピン３４７が装着される。
【００４３】
図７は、図６に示した巻取り従動部３４０を、従動軸３４１の先端側から見た様子を示す側面図である。同図に示すように、ハンガ部３４４は、横木部１７８の周面に沿って延在して、横木部１７８に対して２面以上で接する。これにより、装着した巻取り従動部３４０が横木部１７８から脱落することがない。
【００４４】
また、この方向から見た場合、従動プラグ３４３は従動軸３４１を中心とした多角形の形状を有する。これにより、後述する巻取りローラ組立体３６０を装着した場合、巻取りローラ組立体３６０の回転に従って、従動軸３４１も共に回転する。なお、駆動プラグ３３３も、従動プラグ３４３と同様に多角形の断面形状を有する。
【００４５】
図８は、上記のような巻取り駆動部３３０および巻取り従動部３４０に挟まれて支持される巻取りローラ組立体３６０を単独で示す正面図である。同図に示すように、巻取りローラ組立体３６０は、水平に延在する円筒状巻取り紙管３１０と、その両端に装着された一対のフランジ部材３２０とを備える。
【００４６】
巻取り紙管３１０は、巻き取るべき被記録媒体１９１の幅に等しいか、それよりも長い円筒体を用いることができ、巻取り用に用意された専用の紙管の他、巻き付けられた被記録媒体１９１を使い切った紙管を再利用することもできる。フランジ部材３２０は、後述する差し込みリブ３２４を巻取り紙管３１０の端部に嵌め込んで形成される。
【００４７】
図９は、フランジ部材３２０を単独で示す斜視図である。同図に示すように、単独のフランジ部材３２０は、円板状のフランジ部３２２と、フランジ部３２２の中心に同軸に配置された円筒状の基部３２５とを有する。
【００４８】
基部３２５は、巻取り紙管３１０に対する差し込み方向に延在する複数の差し込みリブ３２４をその表面に有して、巻取り紙管３１０に対する差し込み部を形成する。差し込みリブ３２４の表面は、巻取り紙管３１０の内径と略同じ円筒面に配列され、差し込まれた場合に巻取り紙管３１０の弾性変形によりその内面に対して強く当接する。
【００４９】
また、差し込みリブ３２４を形成するリブは、それぞれ、フランジ部３２２に隣接した区間において高さを増し当接リブ３２３を形成する。当接リブ３２３の先端は、巻取り紙管３１０の内径よりも大きな径を有する円筒面上に配列される。これにより、差し込みリブ３２４を巻取り紙管３１０に差し込んだ場合、当接リブ３２３は巻取り紙管３１０の端面に度当たって、巻取り紙管３１０およびフランジ部３２２の間に間隙を形成する。従って、巻取り紙管３１０の両端に形成されたフランジ部３２２の間隔は、巻取り紙管３１０の長さよりも大きくなり、巻取りローラ組立体３６０の有効巻取り幅を広くして、記録済みの被記録媒体１９１を円滑に巻き取る。
【００５０】
更に、基部３２５は、基部３２５およびフランジ部３２２に形成された切り込み３２７により画成され、差し込み方向の前端で基部３２５に対して結合された弾性リブ３２８を備える。弾性リブ３２８は、基部３２５に対する結合部を支点として、巻取り紙管３１０の内面に弾性的に当接する。これにより、巻取り紙管３１０の内面に過剰な圧力を加えることが防止されると共に、繰り返し使用された巻取り紙管３１０の内面が変形している場合も、確実に当接してフランジ部材３２０の脱落を防止する。
【００５１】
一方、フランジ部３２２の円形の側面は、径方向について外側ほど基部３２５から離れるテーパ面を形成する。これにより、給送および排出の経路において軌道がぶれた場合も、被記録媒体１９１を巻取り紙管３１０に誘導して整然と巻くことができる。
【００５２】
図１０は、図９に示したフランジ部材３２０を、基部３２５が形成された側から見た側面図である。同図に示すように、差し込みリブ３２４は、基部３２５の周面上に、一定の間隔で径方向に突出して形成される。また、切り込み３２７により、弾性リブ３２８が、基部３２５およびフランジ部３２２から切り離されて、変位できることが見える。
【００５３】
なお、基部３２５の前端面中央には貫通穴３２６が形成される。これにより、巻取りローラ組立体３６０として巻取り駆動部３３０または巻取り従動部３４０に装着された場合に、駆動軸３３１または従動軸３４１とフランジ部材３２０との干渉が避けられる。
【００５４】
図１１は、フランジ部材３２０を、図９に対して反対の側から見た様子を示す図である。同図に示すように、この面には、フランジ部３２２を補強する複数のリブが形成されると共に、その中心に、駆動プラグ３３３および従動プラグ３４３を挿入するソケット部３２１が現れている。
【００５５】
また、ソケット部３２１の周囲には、弾性リブ３２８の後端が、取り外しレバー３２９として突出する。これにより、フランジ部材３２０を巻取り紙管３１０から取り外す場合に、取り外しレバー３２９の後端を押さえて、フランジ部材３２０を容易に抜き取ることができる。
【００５６】
なお、フランジ部材３２０を透明な材料により形成することも好ましい。これにより、巻取りローラ組立体３６０としてソケット部３２１に駆動プラグまたは従動プラグを差し込む場合に、フランジ部３２２を介して駆動プラグ３３３または従動プラグ３４３の先端を目視できる。従って、駆動プラグ３３３または従動プラグ３４３とソケット部３２１との位置合わせが容易になる。このような効果は、フランジ部３２２の一部を切り抜いて窓を設けることによっても同様に得られる。
【００５７】
図１２は、図１１に示したフランジ部材３２０の背面を、ソケット部３２１が形成された側から見た様子を示す側面図である。同図に示すように、フランジ部材３２０の中央には、駆動軸３３１または従動軸３４１との干渉を避ける貫通穴３２６が見える。また、その周囲には、ソケット部３２１が形成され、ソケット部３２１が、駆動プラグ３３３および従動プラグ３４３と相補的な形状を有することが見てとれる。更に、ソケット部３２１の周囲に、複数の取り外しレバー３２９が対称に配置されていることが判る。
【００５８】
図１３は、フランジ部材３２０を、その直径を含む面で切った断面図である。同図に示すように、フランジ部３２２の内側に、差し込みリブ３２４および当接リブ３２３並びに弾性リブ３２８が形成されていることが判る。また、差し込みリブ３２４および弾性リブ３２８の内側には、ソケット部３２１および貫通穴３２６が互いに連通して形成されていることが判る。
【００５９】
更に、図上で基部３２５の下側に位置する弾性リブ３２８が、その後端（図上左側）において取り外しレバー３２９まで連続すると共に、フランジ部３２２から切り離されていることが判る。更に、弾性リブ３２８の先端側において、弾性リブ３２８の内側には板バネ４００が装着される。これにより、弾性リブ３２８にはより高い弾性を与えられる。
【００６０】
図１４は、フランジ部材３２０に装着された板バネ４００の形状を示す斜視図である。同図に示すように、板バネ４００は、長手方向の中央に折り曲げ部４１０を形成された１枚の金属板により形成される。弾性リブ３２８の下に挿入する場合は、板バネ４００は、折り曲げ部４１０を更に曲げて、折り曲げ部４１０を前にして押し込まれる。
【００６１】
また、板バネ４００の両端には、僅かに屈曲された係止部４２０がそれぞれ形成される。係止部４２０は、板バネ４００を弾性リブ３２８の下に押し込んだ場合に、弾性リブ３２８の裏面にくい込んで、板バネ４００の脱落を防止する。
【００６２】
更に、板バネ４００の折り曲げ部４１０の側方には、一対の突き当て部４３０が形成される。板バネ４００が弾性リブ３２８の下に押し込んだ場合、突き当て部４３０は弾性リブ３２８の基部３２５に対する結合部に当接して、板バネ４００を位置決めする。また、板バネ４００の折り曲げ部４１０が、弾性リブ３２８の結合部から離れた位置に配置されることにより、弾性リブ３２８の過剰な変形が規制され、折損が防止される。
【００６３】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれることが、特許請求の範囲の記載から明らかである。
【図面の簡単な説明】
【００６４】
【図１】インクジェット式記録装置１００の斜視図である。
【図２】被記録媒体１９１の給送経路２００を示す模式的な断面図である。
【図３】巻き取る巻取り装置３００を装着された脚部１７０を示す斜視図である。
【図４】巻取り装置３００を単体で示す正面図である。
【図５】巻取り駆動部３３０を単独で示す斜視図である。
【図６】巻取り従動部３４０を単独で示す斜視図である。
【図７】巻取り従動部３４０を、従動軸３４１の先端側から見た側面図である。
【図８】巻取りローラ組立体３６０を単独で示す正面図である。
【図９】フランジ部材３２０を単独で示す斜視図である。
【図１０】フランジ部材３２０を、差し込みリブ３２４側から見た側面図である。
【図１１】フランジ部材３２０を、図９に対して反対の側から見た図である。
【図１２】フランジ部材３２０を背面から見た様子を示す側面図である。
【図１３】フランジ部材３２０を、その直径を含む面で切った断面を示す図である。
【図１４】板バネ４００の形状を示す斜視図である。
【符号の説明】
【００６５】
１００  インクジェット式記録装置、１１０  筐体、１１１  給送部、１１２  給送駆動ローラ、１１４  給送従動ローラ、１２０  カートリッジホルダ、１３０  装填部、１３２  ロールカバー、１３４  スピンドル支持部、１４０  記録部、１４１  キャリッジ、１４２  トップカバー、１４３  記録ヘッド、１４４  フロントカバー、１４５  ガイドレール、１４７  インクカートリッジ、１５９  排出ダクト、１５２  プラテンプレート、１６０  排出部、１７０  脚部、１７１  ブラケット、１７２  支柱部、１７４  足部、１７６  キャスタ、１７７  ジャッキ、１７８  横木部、１８０  操作パネル、１９０  ロール組立体、１９１  被記録媒体、１９２  紙管、１９４  スピンドル部材、２００  給送経路、３００  巻取り装置、３１０  巻取り紙管、３２０  フランジ部材、３２１  ソケット部、３２２  フランジ部、３２３  当接リブ、３２４  差し込みリブ、３２５  基部、３２６  貫通穴、３２７  切り込み、３２８  弾性リブ、３２９  取り外しレバー、３３０  巻取り駆動部、３３１  駆動軸、３３２  ブラケット、３３３  駆動プラグ、３３４  巻取りモータ、３３５  フランジ、３３７、３４７  ピン、３３８  ベースプレート、３４０  巻取り従動部、３４１  従動軸、３４２  ブラケット、３４３  従動プラグ、３４４  ハンガ部、３４５  フランジ、３４６  ロックレバー、３４８  ベースプレート、３５０  媒体センサ、３６０  巻取りローラ組立体、４００  板バネ、４１０  折り曲げ部、４２０  係止部、４３０  突き当て部
【図１】
2009023781.tif 000003
【図２】
2009023781.tif 000004
【図３】
2009023781.tif 000005
【図４】
2009023781.tif 000006
【図５】
2009023781.tif 000007
【図６】
2009023781.tif 000008
【図７】
2009023781.tif 000009
【図８】
2009023781.tif 000010
【図９】
2009023781.tif 000011
【図１０】
2009023781.tif 000012
【図１１】
2009023781.tif 000013
【図１２】
2009023781.tif 000014
【図１３】
2009023781.tif 000015
【図１４】
2009023781.tif 000016